(57)【要約】      （修正有）【課題】高いリアリティを有し、多様なフラワーアレンジメントが可能となる人工部材付きプリザーブドフラワーを提供すること。【解決手段】本物の花から切り取った花冠に防腐処理を施してプリザーブドフラワーとした処理済花冠部１１と、生花の花冠部以外の部分を模して形成された人工部材１２と、処理済花冠部１１と人工部材１２を結合するための結合部材２０、２４と、を含む人口部材付きプリザーブドフラワー１０を提供する。これにより、人工部材１２が生花の花冠部以外の部分を模して形成されているので、全体として、生花に近い外観となり高いリアリティを備えることとなる。また、人工部材１２が生花の花冠部以外の部分を模して形成されていることによって、生花と同様の多様なフラワーアレンジメントが可能となる。【選択図】図２
0003129427.tif 000002
【実用新案登録請求の範囲】
【請求項１】
本物の花から切り取った花冠に防腐処理を施してプリザーブドフラワーとし
た処理済花冠部と、
生花の花冠部以外の部分を模して形成された人工部材と、
前記処理済花冠部と前記人工部材を結合するための結合部材と、を含むことを特徴とする人工部材付きプリザーブドフラワー。
【請求項２】
前記人工部材は、
生花の茎を模した人工茎部と、該人工茎部の上端に設けられ生花の花柄を模した人工花柄部と、を含むことを特徴とする請求項１に記載の人工部材付きプリザーブドフラワー。
【請求項３】
前記結合部材は、
前記人工茎部に設けられ前記人工花柄部の上端から突出し、前記処理済花冠部の下端に設けられる孔部に挿入される棒状部材を含むことを特徴とする請求項２に記載の人工部材付きプリザーブドフラワー。
【請求項４】
前記人工花柄部は、上端に開口を有する中空形状で形成され、
前記結合部材は、
該人工花柄部の開口の縁に係止されると伴に生花の萼を模した人工萼部が取付けられる鍔部と、前記人工花柄部の開口からその内部に挿入されて固定される挿入部と、を備える補助部材を有することを特徴とする請求項３に記載の人工部材付きプリザーブドフラワー。
【請求項５】
前記人工花柄部は、
上端から下端に向かって漸次縮径する形状に形成され、
前記補助部材の挿入部は、
該挿入部が前記人工花柄部の内部に挿入された状態で、該人工花柄部の内側面に圧接される形態に形成されたことを特徴とする請求項４に記載の人工茎付きプリザーブドフラワー。
【請求項６】
前記人工部材は、
該人工部材が模された花とは別の種類の本物の花の花冠から製造されたプリザーブドフラワーの花冠部と結合されたことを特徴とする請求項１〜５の何れか１項に記載の人工茎付きプリザーブドフラワー。
【考案の詳細な説明】
【技術分野】
【０００１】
本考案は、人工部材付きプリザーブドフラワーに関し、特に、生け花等のフラワーアレンジメントにおいて用いられる人工部材付きプリザーブドフラワーに関する。
【背景技術】
【０００２】
従来より、バラ等の生花を花瓶に差す、或いは、束ねる等して、花を美しく配置するフラワーアレンジメントが行われている。このような生花でのフラワーアレンジメントにおいては、アレンジした花を枯らさないために水を絶えず与えなければならず、また、水を与え続けたとしても寿命自体が短いので、１週間から１ヶ月程度ですぐに枯れてしまう。従って、苦労してフラワーアレンジメントしても、鑑賞できる期間が短いという問題があった。
【０００３】
このようにフラワーアレンジメント後の鑑賞期間が短いという欠点を補うために、ドライフラワー等の造花で生け花やフラワーアレンジメントを行うということも考えられる。しかし、言うまでもなく、これらの造花では、外観が生花と著しく異なり、リアリティが大きく欠けてしまう。
【０００４】
そこで近年、特許文献１に記載されているような生花と同様の外観を有しかつ生花と比較して長期間の保存が可能となるプリザーブドフラワーが開発された。このプリザーブドフラワーは、例えば、生花を細胞組織内の水、即ち組織水を脱水した後、ポリエチレングリコールを浸透して、組織水をポリエチレングリコールによって置換する防腐処理を施し、必要に応じて染色を行い、生花と同様な外観を保持した製品を得るものである。
【０００５】
上述のようなプリザーブドフラワーは、生花と同様の美観を有しつつ長期間の保存が可能である。しかし、このプリザーブドフラワーを作成するための作業は煩雑で多額のコストがかかるため、多数の生花のプリザーブドフラワーを作成することは、現実的ではなかった。従って、フラワーアレンジメントにおいては、生花の花冠の部分のみをプリザーブドフラワーとしたものが用いられることが一般的であった。
【０００６】
ところが、花冠部分のみのプリザーブドフラワーをフラワーアレンジメントに使用しても、花冠以外の茎や葉等の部分が無いためアレンジのパターンが限られてしまう。そこで、その問題を解決するために図６に示されるように、プリザーブドフラワーとされた処理済花冠部１００にステム１０２を取付けて、茎の代わりとしフラワーアレンジメントの幅を広げるという方法がとられていた。このステム１０２は、人工的に製造される樹脂性のものであり、処理済花冠部１００を用いたフラワーアレンジメントのために接着剤等で取付けられている。
【０００７】
【特許文献１】特表平０４−５０５７６６
【考案の開示】
【考案が解決しようとする課題】
【０００８】
しかし、上述のステム１０２は、処理済花冠部１００を用いて例えば、ブーケ等の花束状のものを何とか作成できるように製造された単純な形状なものであり、花冠以外の部分を備えた生花と比べると圧倒的にフラワーアレンジメントの幅が狭まるという問題があった。
【０００９】
また、処理済花冠部１００が、生花の花冠のようなリアリティを備えていても、ステム１０２まで含めた全体の外観が、生花の全体の外観と著しくことなるため、リアリティが大きく欠けてしまうという問題があった。
【００１０】
本考案は、このような事情に鑑みてなされたものであり、その目的は、高いリアリティを有し、多様なフラワーアレンジメントが可能となる人工部材付きプリザーブドフラワーを提供することにある。
【課題を解決するための手段】
【００１１】
上記課題を解決するために請求項１に記載の人工部材付きプリザーブドフラ
ワーの考案は、本物の花から切り取った花冠に防腐処理を施してプリザーブド
フラワーとした処理済花冠部と、生花の花冠部以外の部分を模して形成された
人工部材と、前記処理済花冠部と前記人工部材を結合するための結合部材と、
を含むことを特徴とする。
【００１２】
従って、本考案にかかる人工部材付きプリザーブドフラワーでは、人工部材が生花の花冠部以外の部分を模して形成されているので、全体として、生花に近い外観となり、高いリアリティを備えることとなる。また、人工部材が生花の花冠部以外の部分を模して形成されていることによって、生花と同様の多様なフラワーアレンジメントが可能となる。
【００１３】
請求項２に記載の考案は、前記人工部材は、生花の茎を模した人工茎部（１３）と、該人工茎部の上端に設けられ生花の花柄を模した人工花柄部と、を含むことを特徴とする。これにより、人工茎部及び人工花柄部により、人工部材付きプリザーブドフラワーの外観をより生花に近づけることができる。
【００１４】
請求項３に記載の考案は、前記人工茎部は、その上端に生花の花柄を模した人工花柄部を有し、前記花固定部は、前記人工茎部に設けられ前記人工花柄部の上端から突出し、前記処理済花冠部の下端に設けられる孔部に挿入される棒状部材を含むことを特徴とする。
【００１５】
これにより、人工花柄部の上端から突出する棒状部材を処理済花冠部の孔部に挿入するだけで、処理済花冠部を人工花柄部に取付けることができるので、処理済花冠部の付替えが容易である。従って、人工部材が破損したような場合であっても、新たな人工部材を処理済花冠部に容易に付け替えることができる。
【００１６】
請求項４に記載の考案は、前記人工花柄部は、上端に開口を有する中空形状で形成され、前記結合部材は、該人工花柄部の開口の縁に係止されると伴に生花の萼を模した人工萼部が取付けられる鍔部と、前記人工花柄部の開口からその内部に挿入されて固定される挿入部と、を備える補助部材を有することを特徴とする。
【００１７】
これにより、本考案にかかる人工部材付きプリザーブドフラワーのリアリティを更に向上させる人工萼部を、簡易な構成で人工花柄部に取付けることができる。
【００１８】
請求項５に記載の考案は、前記人工花柄部は、上端から下端に向かって漸次縮径する形状に形成され、前記補助部材の挿入部は、該挿入部が前記人工花柄部の内部に挿入された状態で、該人工花柄部の内側面に圧接される形態に形成されたことを特徴とする。
【００１９】
これにより、接着剤等の接合手段を用いることなく、補助部材を人工花柄部に固定することができる。従って、人工花柄部に補助部材において取付けられた人工萼部を容易に付替えることができるので、人工萼部が破損してしまった場合であっても、新たな人工萼部を人工花柄部に容易に付け替えることができる。
【００２０】
請求項６に記載の考案は、前記人工部材は、該人工部材が模された花とは別の種類の本物の花の花冠から製造されたプリザーブドフラワーの花冠部と結合されたことを特徴とする。
【００２１】
これにより、例えば、ユリから作成されたプリザーブドフラワーの花冠部をバラの花冠部以外の部分を模して形成された人工部材に取り付ける等して、実際には有り得ない花冠部と花冠部以外の部分の組み合わせの花を創出することが可能となる。従って、生花を用いた場合以上にフラワーアレンジメントの幅を広げることができる。
【考案の効果】
【００２２】
本考案にかかる人工部材付きプリザーブドフラワーでは、人工部材が生花の花冠部以外の部分を模して形成されているので、全体として、生花に近い外観となり高いリアリティを備えることとなる。また、人工部材が生花の花冠部以外の部分を模して形成されていることによって、生花と同様の多様なフラワーアレンジメントが可能となる。すなわち、本考案にかかる人工部材付きプリザーブドフラワーを用いることによって高いリアリティを有しつつ、多様なフラワーアレンジメントが可能となる。
【考案を実施するための最良の形態】
【００２３】
以下、本実施の形態について図面を参照して詳細に説明する。図１は、本実施の形態の人工部材付きプリザーブドフラワーの上方からの斜視図である。図示のように、人工部材付きプリザーブドフラワー１０は、本物のバラの花冠から生成された処理済花冠部１１と、生花の花冠以外の部分を模して形成された人工部材１２を有している。
【００２４】
処理済花冠部１１は、本物のバラの花冠部分を、細胞組織内の水、即ち組織水を脱水した後、ポリエチレングリコールを浸透して、組織水をポリエチレングリコールによって置換する防腐処理を施し、所望の染色を行いプリザーブドフラワーとして生成されたものである。
【００２５】
そして、人工部材１２は、バラの茎を模した人工茎部１３と、人工茎部１３の側面に設けられ、生花のバラの葉と同様の形状で形成された人工葉部１４と、人工茎部１３の上端に設けられ生花のバラの花柄部分を模した、すなわち、上方から下方に向かって漸次縮径する形状の人工花柄部１５と、人工花柄部１５の上方に設けられ生花のバラの萼を模した人工萼部１６を有している。
【００２６】
以下、この人工部材付きプリザーブドフラワー１０の詳細な構成の一例について説明する。図２は、本実施の形態の人工部材付きプリザーブドフラワー１０全体の構成を説明する図であり、図３は、人工萼部１６とキャップ２４を説明する説明図である。
【００２７】
図示のように、人工部材１２の人工花柄部１５は、略中空に形成されており、上端に上方開口１５ａを有している。この上方開口１５ａの縁部１５ｂは、人工花柄部１５の側面がその途中から屈曲して外方に拡がる形状で形成されている。人工茎部１３の内部には、人工茎部１３内部の図示しない下方部分で固定された棒状部材としての金属製のワイヤ２０が挿通され、そのワイヤ２０は人工花柄部１５の内部を通って上方開口１５ａから突出している。
【００２８】
人工萼部１６は、生花のバラの萼片を模して形成されたものであり、その下端に孔部１６ａを有しており、この孔部１６ａには、人工萼部１６を取り付ける補助部材としての樹脂性のキャップ２４が取付けられる。キャップ２４は、両端に開口を有しており、略円筒形状の挿入部２４ａと、その挿入部２４ａの上端の縁に設けられ、挿入部２４ａの側面から外方に突出する鍔部２４ｂが設けられている。
【００２９】
そして、キャップ２４が下端部２４ｃ側から孔部１６ａに挿通されて鍔部２４ｂが人工萼部１６の孔部１６ａの縁の部分に当接し、人工萼部１６とキャップ２４が一体化される。なお、人工萼部１６とキャップ２４を確実に接合するために、人工萼部１６と鍔部２４ｂとの接合面に接着剤を塗布しても良い。
【００３０】
また、処理済花冠部１１の底部１１ａには、上述のワイヤ２０を挿通するための図示しない孔部が設けられており、人工花柄部１５の上方開口１５ａから突出したワイヤ２０を、処理済花冠部１１の底部１１ａの孔部に挿入することにより、処理済花冠部１１が人工花柄部１５に固定される。本実施の形態では、ワイヤ２０により、容易に処理済花冠部１１を人工花柄部１５に固定して、人工部材付きプリザーブドフラワー１０の外観を崩すことなく好適に保つことができる。
【００３１】
図４に人工花柄部１５とキャップ２４の接合状態を説明するためのそれらの概略断面図を示す。図示のように、本実施の形態のキャップ２４は、人工萼部１６が取付けられた状態でその挿入部２４ａが、人工花柄部１５の上方開口１５ａから挿入されることで人工花柄部１５に取付けられる。この状態で鍔部２４ｂは、人工萼部１６の萼片部分１６ｂを介在させて縁部１５ｂに係止されている。
【００３２】
一方、挿入部２４ａは、その外周面が人工花柄部１５の内側面１５ｃに当接した状態で、人工花柄部１５の内部に収容されている。これにより、挿入部２４ａは人工花柄部１５の内壁１５ｃによって圧接される状態となり人工花柄部１５に固定される。これにより、接着剤等の接合手段を用いることなく容易にキャップ２４と人工花柄部１５との固定を容易に行うことができる。なお、この時、ワイヤ２０は、キャップ２４の中空部分を通って、その上端開口２４ｄから突出する状態となる。
【００３３】
このようにキャップ２４が人工花柄部１５に固定された後に、上端開口２４ｄから突出したワイヤ２０が処理済花冠部１１の底部１１ａの孔部に挿通されることにより、処理済花冠部１１が人工茎部１３や人工萼部１６等を有する人工部材１２に取付けられて本実施の形態の人工部材付きプリザーブドフラワー１０が構成される。
【００３４】
以上により、本考案にかかる人工部材付きプリザーブドフラワー１０では、本物のバラの花冠を防腐処理して生成される処理済花冠部１１に、生花の花冠以外の部分を模して形成された人工部材１２が取付けられているので、全体として、生花のバラに近い外観を有し高いリアリティを備えている。また、人工部材１２によって、本物のバラと同様に花瓶に生ける、或いはブーケを作る等の多様なフラワーアレンジメントが可能となる。
【００３５】
また、ワイヤ２０を処理済花冠部１１の底部１１ａの孔部に挿入するだけで、処理済花冠部１１が人工花柄部１５に取付けられているので、処理済花冠部１１の付替えが容易である。従って、人工部材１２が破損したような場合であっても、新たな人工部材を処理済花冠部１１に容易に付け替えることができる。
【００３６】
更に、上述のように、接着剤等の接合手段を用いることなく、キャップ２４を人工花柄部１５に固定することができるので、人工花柄部１５かキャップ２４に取付けられた人工萼部１６を容易に付替えることができる。従って、人工萼部１６が破損してしまった場合であっても、新たな人工萼部を人工花柄部１５に容易に付け替えることができる。
【００３７】
図５は、人工部材付きプリザーブドフラワーの他の構成を示す説明図である。図示のように、生花のバラの花冠部以外の部分を模して製造される人工部材１２に、本物のカーネーションの花冠をプリザーブドフラワーとして作成された処理済花冠部２６を取り付けることで人工部材付きプリザーブドフラワー１０が構成されている。なお、図１〜４に示される要素と同様のものには、同一の符号を付している。
【００３８】
これにより、実際には有り得ない生花を、まるで実際に存在しているかのように創出することができ、例えば、この人工部材付きプリザーブドフラワー１０を束ねて花束を作る等して仮想的な花束を創出し、生花を用いた場合以上にフラワーアレンジメントの幅を広げることができる。
【００３９】
また、上述のように、処理済花冠部２６は、容易に人工部材１２から取外すことができるので、種々の生花を模して製造された別の人工部材と結合させて、フラワーアレンジメントの幅を一層広げることもできる。
【００４０】
なお、本考案にかかる人工部材付きプリザーブドフラワー１０は、上記実施の形態に限られるものではなく、発明の要旨の範囲内で種々の変更が可能である。例えば、本実施の形態では、プリザーブドフラワーとして、バラの花を用いて製造されたものを例に説明したが、これに限られるものではなく、プリザーブドフラワーを製造できるものであれば、種々の花を適用することができる。
【００４１】
また、処理済花冠部１１を人工部材１２から取外す必要がない場合には、処理済花冠部１１と人工萼部１６の接合面に接着剤を塗布し、接合強度を向上させても良い。更に、人工部材１２から人工萼部１６を取外す必要がない場合には、キャップ２４の挿入部２４ａの側面と人工花柄部１５ｃの内側面との間に接着剤を塗布し、接合強度を向上させても良い。
【図面の簡単な説明】
【００４２】
【図１】人工部材付きプリザーブドフラワーの上方からの斜視図である。
【図２】人工部材付きプリザーブドフラワーの概略分解斜視図である。
【図３】人口萼部とキャップとの取付け状態を示す説明図である。
【図４】キャップを人工花柄部に取付けた状態を示す説明図である。
【図５】カーネーションの処理済花冠部に生花のバラの花冠部以外の部分を模して製造した人工茎部を取付けた人工部材付きプリザーブドフラワーの図である。
【図６】従来の処理済花冠部をフラワーアレンジメントに用いるための手段の一例を説明する図である。
【符号の説明】
【００４３】
１０      人工部材付きプリザーブドフラワー
１１      処理済花冠部
１２      人工茎部
１５      人工花柄部
１６      人工萼部
２０      ワイヤ（棒状部材）
２４      キャップ（補助部材）
２４ａ    鍔部
２４ｂ    端部（当接部分）
【図１】
0003129427.tif 000003
【図２】
0003129427.tif 000004
【図３】
0003129427.tif 000005
【図４】
0003129427.tif 000006
【図５】
0003129427.tif 000007
【図６】
0003129427.tif 000008